(57)【要約】 【課題】  使い勝手のよい着信自動応答機能を備える電話通信装置を提供する。【解決手段】  ユーザがハンドセットを持ち上げるなどしてオフフックが検出されると、電話制御部３１が留守録ＤＳＰ１９の動作状態に基づいて回線接続中かどうかを判断する。回線接続中であれば着信検出回路７が接続中の回線がアナログ回線かどうかを判断する。接続中の回線がアナログ回線であれば電話制御部３１がデジタル通話で発呼を行う。接続中の回線がデジタル回線であればデジタル通話またはアナログ通話で発呼を行う。【選択図】      図１
2006033725.tif 000002
【特許請求の範囲】
【請求項１】
アナログ通話とデジタル通話とを行う電話通信装置であって、
音声メッセージを記憶する音声メモリと、
所定の条件を満足したときに相手先の電話通信装置に対して音声メッセージを送出するメッセージ送出手段と、
アナログ通話またはデジタル通話で発呼を行う発呼手段と、
発呼手段が発呼を行うときに、メッセージ送出手段がアナログ通話で音声メッセージを送出している場合は、デジタル通話で発呼するように発呼手段を制御し、メッセージ送出手段がデジタル通話で音声メッセージを送出している場合は、アナログ通話またはデジタル通話で発呼するように発呼手段を制御する制御手段とを備えることを特徴とする電話通信装置。
【請求項２】
音声メッセージは、電話通信装置のユーザが不在であることを示す留守応答メッセージを含み、
メッセージ送出手段は、交換機から受信した呼出信号を計数し、予め定める数を受信すると、相手先の電話通信装置に対して留守応答メッセージを送出することを特徴とする請求項１記載の電話通信装置。
【請求項３】
着信拒否の対象となる電話番号を記憶するメモリと、
交換機から発信電話番号を受信し、メモリに記憶されている電話番号と一致するかどうかを判断して着信拒否対象の発信者からの着信を識別する発信者識別手段とを備え、
音声メッセージは、着信を拒否することを示す着信応答メッセージを含み、
メッセージ送出手段は、発信者識別手段が、着信拒否対象の発信者からの着信であることを識別すると、相手先の電話通信装置に対して着信拒否応答メッセージを送出することを特徴とする請求項１記載の電話通信装置。
【請求項４】
アナログ通話の着信かデジタル通話の着信かを判定する判定手段を備え、
メッセージ送出手段は、アナログ通話の着信の場合と、デジタル通話の着信の場合とで動作を変更することを特徴とする請求項３記載の電話通信装置。
【請求項５】
メッセージ送出手段は、アナログ通話の着信の場合、回線接続して着信拒否応答メッセージを送出し、デジタル通話の着信の場合、回線接続せず着信拒否応答メッセージまたはビジートーンを送出することを特徴とする請求項４記載の電話通信装置。
【発明の詳細な説明】
【技術分野】
【０００１】
本発明は、アナログ通話とデジタル通話とを行う電話通信装置に関する。
【背景技術】
【０００２】
通信ネットワーク技術の発展により、電話通信装置による音声通話は、公衆電話交換回線網（以下、Public Switched Telephone Network：ＰＳＴＮと略称することもある。）を介してアナログ音声信号通信を行うアナログ通話に加え、インターネットを介し、インターネットプロトコル（ＩＰ）に基づいてデジタル音声データ信号通信を行うデジタル通話を可能となっている。デジタル通話についてさらに説明すると、インターネットなどのデジタルデータ通信網の発達により、いわゆるＶｏＩＰ（Voice over Internet Protocol）技術に基づく音声通話が可能となっている。このデジタル通話では、互いの電話通信装置が、デジタルデータ化された音声信号を、デジタルデータ通信網を介して送受信する。特に近年のインターネットを介したデジタルデータ通信では、ブロードバンド化が進み、デジタルデータ化された音声信号の送受信を高速に行うことができるので、デジタル通話でも十分な音質を実現することができる。また、デジタルデータ通信は、多重化することも比較的容易であり、物理的には単一の通信ケーブルに、複数の通話回線を収容することもできる。さらに、ＡＤＳＬ（Asymmetric Digital Subscriber Line）などのｘＤＳＬ技術で、ＰＳＴＮへの接続に用いる電話線に高周波のデジタル信号を重畳し、アナログ通話回線と複数のデジタル通話回線とを収容することも可能になっている。
【０００３】
アナログ通話のみを行う電話通信装置には、留守番電話機能が備えられているものが多い。留守番電話機能には、主に録音／再生機能および着信自動応答機能がある。さらに録音／再生機能は、アナログ通話によって受信したアナログ音声信号をＤＳＰ（Digital
Signal Processor）によってデジタルデータに変換し、圧縮して所定の記憶領域に記憶する録音機能と、所定の記憶領域に記憶されたデジタル音声データを、ＤＳＰによって伸張し、アナログ音声信号に変換してスピーカなどに出力する再生機能とからなる。着信自動応答機能は、加入者交換機などからの呼出信号をカウントし、所定のカウントに達した時点で回線を捕捉、予め録音されている応答メッセージなどを回線に送出する機能である。着信応答機能を利用する着信拒否機能では、特定の電話通信装置からの着信に対して、接続することができないことを示す音声メッセージなどを自動で送出することが可能となっている（たとえば、特許文献１参照）。
【０００４】
アナログ通話とデジタル通話とを行う電話通信装置にも留守番電話機能は備えられるが、複雑な制御が必要となってしまう。たとえば、アナログ通話とインターネット通話（デジタル通話）とを実現し、それぞれの通話中に任意に通話路を切り替えるインターネットＶｏＩＰアダプタは、アナログ通話の着信に対して接続されたアナログ端末装置から一定時間応答が無いときは、自動的に応答し、ＩＰ通話の着信に切り替えることができる（たとえば、特許文献２参照）。
【０００５】
【特許文献１】特開平３−３６８６１
【特許文献２】特開２００３−２９８７３８
【発明の開示】
【発明が解決しようとする課題】
【０００６】
特許文献１記載の着信規制方式のように、アナログ通話において、着信自動応答機能によって応答メッセージを送出している間に、誤ってオフフックすると、応答メッセージの送出を中断し、相手側の電話通信装置と通話可能な状態になってしまう。したがって、応答メッセージの送出を行うと同時に新たに発呼することができないため、ユーザにとって使い勝手が悪いという問題がある。特許文献２記載のインターネットＶｏＩＰアダプタも、アナログ通話とデジタル通話とを通話中に切り替えることはできるが、自動応答すると同時に新たに発呼する手段については何ら開示されていない。
【０００７】
本発明の目的は、使い勝手のよい着信自動応答機能を備える電話通信装置を提供することである。
【課題を解決するための手段】
【０００８】
本発明は、アナログ通話とデジタル通話とを行う電話通信装置であって、
音声メッセージを記憶する音声メモリと、
所定の条件を満足したときに相手先の電話通信装置に対して音声メッセージを送出するメッセージ送出手段と、
アナログ通話またはデジタル通話で発呼を行う発呼手段と、
発呼手段が発呼を行うときに、メッセージ送出手段がアナログ通話で音声メッセージを送出している場合は、デジタル通話で発呼するように発呼手段を制御し、メッセージ送出手段がデジタル通話で音声メッセージを送出している場合は、アナログ通話またはデジタル通話で発呼するように発呼手段を制御する制御手段とを備えることを特徴とする電話通信装置である。
【０００９】
また本発明は、音声メッセージは、電話通信装置のユーザが不在であることを示す留守応答メッセージを含み、
メッセージ送出手段は、交換機から受信した呼出信号を計数し、予め定める数を受信すると、相手先の電話通信装置に対して留守応答メッセージを送出することを特徴とする。
【００１０】
また本発明は、着信拒否の対象となる電話番号を記憶するメモリと、
交換機から発信電話番号を受信し、メモリに記憶されている電話番号と一致するかどうかを判断して着信拒否対象の発信者からの着信を識別する発信者識別手段とを備え、
音声メッセージは、着信を拒否することを示す着信応答メッセージを含み、
メッセージ送出手段は、発信者識別手段が、着信拒否対象の発信者からの着信であることを識別すると、相手先の電話通信装置に対して着信拒否応答メッセージを送出することを特徴とする。
【００１１】
また本発明は、アナログ通話の着信かデジタル通話の着信かを判定する判定手段を備え、
メッセージ送出手段は、アナログ通話の着信の場合と、デジタル通話の着信の場合とで動作を変更することを特徴とする。
【００１２】
また本発明は、メッセージ送出手段は、アナログ通話の着信の場合、回線接続して着信拒否応答メッセージを送出し、デジタル通話の着信の場合、回線接続せず着信拒否応答メッセージまたはビジートーンを送出することを特徴とする。
【発明の効果】
【００１３】
本発明によれば、アナログ通話とデジタル通話とを行う電話通信装置であり、予め音声メモリに音声メッセージを記憶しておき、所定の条件を満足したときにメッセージ送出手段が、相手先の電話通信装置に対して音声メッセージを送出する、いわゆる着信自動応答機能を備える電話通信装置である。
【００１４】
制御手段は、発呼手段が発呼を行うときにメッセージ送出手段の動作を検出して発呼手段の動作を制御する。メッセージ送出手段がアナログ通話で音声メッセージを送出している場合は、デジタル通話で発呼するように発呼手段を制御し、メッセージ送出手段がデジタル通話で音声メッセージを送出している場合は、アナログ通話またはデジタル通話で発呼するように発呼手段を制御する。
【００１５】
これにより、相手先の電話通信装置に対して音声メッセージを送出している間であっても新たに発呼を行うことが可能であり、使い勝手のよい着信自動応答機能を備える電話通信装置を提供することができる。
【００１６】
また本発明によれば、音声メッセージは、電話通信装置のユーザが不在であることを示す留守応答メッセージを含み、メッセージ送出手段は、交換機から受信した呼出信号を計数し、予め定める数を受信すると、相手先の電話通信装置に対して留守応答メッセージを送出する。
【００１７】
これにより、留守番電話機能を実現することができ、留守応答メッセージを送出している間であっても新たに発呼を行うことができる。
【００１８】
また本発明によれば、予めメモリに着信拒否の対象となる電話番号を記憶しておき、発信者識別手段が、交換機から発信電話番号を受信し、メモリに記憶されている電話番号と一致するかどうかを判断して着信拒否対象の発信者からの着信を識別する。
【００１９】
メッセージ送出手段は、発信者識別手段が、着信拒否対象の発信者からの着信であることを識別すると、相手先の電話通信装置に対して着信を拒否することを示す着信拒否応答メッセージを送出する。
【００２０】
これにより、着信拒否機能を実現することができ、着信拒否応答メッセージを送出している間であっても新たに発呼を行うことができる。
【００２１】
また本発明によれば、判定手段によって、アナログ通話の着信かデジタル通話の着信かが判定され、メッセージ送出手段は、アナログ通話の着信の場合と、デジタル通話の着信の場合とで動作を変更する。具体的には、アナログ通話の着信の場合、回線接続して着信拒否応答メッセージを送出し、デジタル通話の着信の場合、回線接続せず着信拒否応答メッセージまたはビジートーンを送出する。
【００２２】
これにより、相手先に応じて着信拒否応答メッセージまたはビジートーンを選択して送出することができ、使い勝手が向上する。たとえば、明確に着信を拒否したい相手先に対しては着信拒否応答メッセージを送出し、あまり明確に拒否することができないような相手先に対しては電話中であることを装うためにビジートーンを送出する。また、着信拒否応答メッセージは、作成するのに録音作業などの手間がかかり、大量の記憶容量が必要となるので、相手先に応じて送出するメッセージを変えるために複数の着信拒否応答メッセージを用意しようとすると問題が生じることがある。これに対してメッセージの１つとしてビジートーンを使用すると、作成の手間が省け、記憶容量も小さくてすむという効果がある。
【発明を実施するための最良の形態】
【００２３】
アナログ通話とデジタル通話とを行う電話通信装置として、いわゆるＶｏＩＰ電話機を例に本発明の実施形態を説明する。
【００２４】
図１は、本発明の実施の一形態であるＶｏＩＰ電話機１００の概略的な電気的構成を示すブロック図である。
【００２５】
ＶｏＩＰ電話機１００は、回線捕捉回路１、スピーチネットワーク２、切換回路３、ハンドセット４、外部スピーカ５、ダイヤル回路６、着信検出回路７、発信者電話番号受信回路８、メモリ９、表示部１０、ＶｏＩＰ使用可能ＬＥＤ（Light Emitting Diode）１１、ＰＳＴＮ ＬＥＤ１２、ＶｏＩＰ ＬＥＤ１３、操作パネル１４、ＤＳＰ１５、ＡＤＳＬモデム１６、スプリッタ１７、音声メモリ１８、留守録ＤＳＰ１９、および制御部３０を含む。
【００２６】
制御部３０は、電話制御部３１、データ処理制御部３２、表示制御部３３、操作検出部３４、使用回線判定部３５、ＶｏＩＰ制御部３６、ＤＳＰ制御部３７およびＡＤＳＬ制御部３８を含む。
【００２７】
ＶｏＩＰ電話機１００には電話線２０が接続され、交換機と通信可能とすることで、ＰＳＴＮに電気的に接続される。また電話線２０は、アナログ通話回線とデジタル通話回線とで共用され、アナログ通話用の音声信号と、デジタル通話用のデータ信号とが重畳される、いわゆるＡＤＳＬ回線に使用される。詳細には、電話線２０は２線式または４線式ケーブルで、スプリッタ１７のＲＪ−１１コネクタに接続される。スプリッタ１７は、アナログ通話用の音声信号とデジタル通話用のデータ信号とを分離し、ＶｏＩＰ電話機１００の所定の回路に送出する分離機能と、ＶｏＩＰ電話機１００の所定の回路から送出された音声信号と、データ信号とを重畳する重畳機能とを有する。なお、収容局側にもスプリッタが設けられており、音声信号は交換機へ、データ信号はＡＤＳＬモデムを通ってインターネットへ送出される。
【００２８】
回線捕捉回路１は、ダイヤル回路６からの信号によってアナログ通話回線を閉結または開放し、その状態を信号で電話制御部３１に通知する。スピーチネットワーク２は、アナログ回線からの受話信号を切換回路３に送るとともに、切換回路３からの送話信号を、アナログ回線を介してＰＳＴＮに送出したり、ダイヤル回路６が発信したＤＴＭＦ（Dial
Tone Multi Frequency）信号を、回線捕捉回路１に送る。
【００２９】
切換回路３は、電話制御部３１からの制御信号に応じて、スピーチネットワーク２およびハンドセット４のマイクから音声信号を入力し、またスピーチネットワーク２、ハンドセット４のスピーカおよび外部スピーカ５へ音声信号を出力するように信号経路の接続を切り換える。さらに切換回路３は、電話制御部３１からの制御信号に応じて、スピーチネットワーク２、ハンドセット４のマイクおよびＤＳＰ１５から入力される音声信号と、電話制御部３１から入力される保留音信号とを、スピーチネットワーク２、ハンドセット４のスピーカ、外部スピーカ５およびＤＳＰ１５へ出力するように信号経路の接続を切り換える。特に三者通話の場合は、たとえば、スピーチネットワーク２から入力される音声信号を、ハンドセット４のスピーカおよびＤＳＰ１５に出力し、ハンドセット４のマイクおよびＤＳＰ１５から入力される音声信号を、スピーチネットワーク２に出力するように、信号経路の接続を切り換える。
【００３０】
ダイヤル回路６は、回線捕捉回路１を開閉させてダイヤルパルスを発生させたり、ＤＴＭＦ信号をスピーチネットワーク２に出力したりして、送話信号をアナログ回線に送出する。着信検出回路７は、アナログ回線から入力されるＣＡＲ信号やＩＲ信号を検出し、電話制御部３１に着信の検出を通知する。ここでＣＡＲ信号（情報受信端末起動信号）とは、発信者電話番号通知サービスで発信者の電話番号を通知する前に送られてくる信号であり、電話機はこの信号を受信すると、発信者の電話番号を受信する。また、ＩＲ信号とは着信鳴動信号であり、通常、電話機はこれを受信すると外部スピーカ５などから呼出音を鳴らす。
【００３１】
発信者電話番号受信回路８は、アナログ回線から送られてくる発信者電話番号などの情報を受信、復調し、発信者識別情報となる発信者電話番号を取得する。メモリ９は、着信拒否の対象となる発信者電話番号、アナログ通話およびデジタル通話の発信履歴および着信履歴、着信応答機能によって受信した発信者電話番号とそのときに使用された回線の種類、相手先の氏名または名称と電話番号などとを関連付けた電話帳データなどを記憶する。
【００３２】
ＶｏＩＰ電話機１００は、表示手段として、ＬＣＤ（液晶表示装置）などで実現される表示部１０と、ＬＥＤによるＶｏＩＰ使用可能ＬＥＤ１１、ＰＳＴＮ ＬＥＤ１２およびＶｏＩＰ ＬＥＤ１３を含む。表示部１０は文字列およびピクトグラムを表示し、ユーザに対して各種の情報およびメッセージなどを報知する。ＶｏＩＰ使用可能ＬＥＤ１１は、デジタル通信が可能な状態であるときに点灯する。ＰＳＴＮ ＬＥＤ１２は、アナログ回線を使用してアナログ通話の発着信が行われたときに点灯する。ＶｏＩＰ ＬＥＤ１３は、デジタル回線を使用してデジタル通話の発着信が行われたときに点灯する。操作パネル１４は、相手先の電話番号を入力するためのダイヤルキー、留守番電話機能など電話通信以外の各種機能を使用するためのファンクションキー、表示部１０に表示されるカーソルなどを移動させるためのカーソルキー、コマンドなどの決定を行うための決定キーなど複数のキーを備える。
【００３３】
ＤＳＰ５は、デジタル回線から送られてきたデジタル音声信号をアナログ音声信号に変換したり、ハンドセット４のマイクから入力されたアナログ音声信号をデジタル音声信号に変換する信号処理を行う。ＡＤＳＬモデム１６は、デジタル回線を使ってデータ信号の送受信を行うためにデータ信号を変復調する。
【００３４】
音声メモリ１８は、留守番電話機能の録音／再生機能によって録音される相手先の音声、着信応答機能によって再生する応答メッセージ音声などを記憶する。留守録ＤＳＰ１９は、相手先の音声をデジタル音声信号で音声メモリ１８に録音したり、音声メモリ１８に録音されている相手先の音声および応答用の音声メッセージなどをデジタル音声信号で再生する。メッセージ送出手段は、この留守録ＤＳＰ１９および電話制御部３１で構成される。
【００３５】
ＶｏＩＰ電話機１００の動作は、予め記憶される制御プログラムに基づき、制御部３０によって制御される。電話制御部３１は、電話通信機能、留守番電話機能などの動作を制御する制御手段である。データ処理制御部３２は、メモリ９へのデータ書き込みおよびメモリ９からのデータ読み出しの制御を行う。表示制御部３３は、表示部１０の画面表示および各ＬＥＤの点灯、消灯の制御を行う。操作検出部３４は、操作パネル１４を監視し、いずれかのキーが入力されると、入力されたキーの種類などを電話制御部３１に通知する。使用回線判定部３５は、発信者電話番号に基づいて、アナログ回線とデジタル回線のいずれの回線を使用するかを判定し、結果を電話制御部３１に通知する判定手段である。ＶｏＩＰ制御部３６は、デジタル電話を行うための呼制御や、ＰＰＰ（Point-to-Point
Protocol）セッションの確立、ＶｏＩＰサーバとの認証処理を行う。ＤＳＰ制御部３７は、ＤＳＰ１５の動作を制御する。ＡＤＳＬ制御部３８は、ＡＤＳＬモデム１６の動作を制御する。発呼手段は、電話制御部３１およびＶｏＩＰ制御部３６で構成される。発信者識別手段は、発信者電話番号受信回路８および電話制御部３１で構成される。
【００３６】
ＶｏＩＰ電話機１００の留守番電話機能および着信拒否機能について説明する。なお、留守番電話機能および着信拒否機能については、アナログ通話およびデジタル通話のいずれも同様の処理が行われる。また、通常アナログ回線で着信した場合は、アナログ回線を捕捉し、デジタル回線で着信した場合は、デジタル回線を捕捉する。
【００３７】
着信自動応答機能と、録音／再生機能と組み合わせることで留守番電話機能を実現することができる。たとえば、着信自動応答機能によって加入者交換機などからの呼出信号をカウントし、所定のカウントに達した時点で回線を捕捉し、録音／再生機能によって予め録音されている留守応答メッセージなどを再生して回線に送出する。
【００３８】
さらに、発信者識別機能を加えることで着信拒否機能を実現することができる。発信者識別機能によって着信拒否を行う発信者からの着信かどうかを判断し、着信拒否を行う発信者からの着信であれば、着信自動応答機能によって回線を捕捉し、録音／再生機能によって接続することができないことを示す拒否応答メッセージなどを再生して回線に送出する。
【００３９】
図２は、ＶｏＩＰ電話機１００によるアナログ通話の着信処理を示すフローチャートである。
【００４０】
ステップＳ１では、ＣＡＲ信号を受け取ったのち、ＭＯＤＥＭ信号によって発信電話番号を受信する。ステップＳ２では、予め登録している着信拒否を行う発信者の電話番号と、受信した発信電話番号とを比較し、発信者の識別を行う。
【００４１】
ステップＳ３では、受信した発信電話番号が登録された電話番号と一致するかどうかを判断する。一致していればステップＳ４に進み、一致していなければステップＳ６に進む。ステップＳ４では、回線を捕捉し、ステップＳ５で予め記憶している拒否応答メッセージを送出してステップＳ１１に進む。
【００４２】
ステップＳ６では、呼出信号を受信し、ステップＳ７で受信した呼出信号の数のカウントを開始する。ステップＳ８では、カウント数が所定の回数に達したかどうかを判断し、達していればステップＳ９に進み、達していなければステップＳ１２に進む。ステップＳ９では、回線を捕捉し、ステップＳ１０で予め記憶している留守応答メッセージを送出する。ステップＳ１１では、回線を切断する。
【００４３】
ステップＳ１２では、ユーザがハンドセット４を持ち上げるなどしてオフフックされたかどうかを判断する。オフフックされればステップＳ１３に進み、オフフックされなければステップＳ８に戻る。ステップＳ１３では回線を捕捉し、ステップＳ１４で通常の通話を行いステップＳ１１に進む。
【００４４】
デジタル通話の着信処理も図２に示したフローチャートと類似した処理を行うが、アナログ通話では、着信拒否を行う場合にステップＳ４で回線を捕捉したのちにステップＳ５で拒否応答メッセージを送出しているのに対し、デジタル通話では、回線を捕捉せず、すなわちステップＳ４の動作を行わず、ステップＳ５で拒否応答メッセージまたはビジートーンを送出する。着信拒否に関する動作以外は、アナログ通話と同様の動作を行う。
【００４５】
なお、拒否応答メッセージを送出するか、ビジートーンを送出するかの設定は、ユーザがＶｏＩＰ電話機１００を操作するなどして選択することができる。たとえば、着信拒否時には必ず拒否応答メッセージを送出する設定、着信拒否時には必ずビジートーンを送出する設定、発信電話番号に応じて拒否応答メッセージかビジートーンを送出する設定などからユーザが選択する。
【００４６】
たとえば、明確に着信を拒否したい相手先に対しては着信拒否応答メッセージを送出し、あまり明確に拒否することができないような相手先に対しては電話中であることを装うためにビジートーンを送出することでＶｏＩＰ電話機１００の使い勝手が向上する。また、着信拒否応答メッセージは、作成するのに録音作業などの手間がかかり、大量の記憶容量が必要となるので、相手先に応じて送出するメッセージを変えるために複数の着信拒否応答メッセージを用意しようとすると問題が生じることがある。これに対してメッセージの１つとしてビジートーンを使用すると、作成の手間が省け、記憶容量も小さくてすむという効果がある。
【００４７】
従来のＶｏＩＰ電話機において、アナログ通話の着信時に留守番電話機能および着信拒否機能が働くと、回線を捕捉するため、応答メッセージを送出している間に新たに発呼することができない。発呼するために、応答メッセージ送出中にオフフックすると、応答メッセージの送出先の電話機と通話状態に移行してしまう。これに対して本発明のＶｏＩＰ電話機１００は、応答メッセージの送出中であっても新たな発呼を行うことができる。
【００４８】
電話制御部３１は、オフフックされたときに、留守録ＤＳＰ１９の動作状態を検出する。留守録ＤＳＰ１９が動作しているとき、すなわち応答メッセージが送出されているときは、現在回線が接続されている相手側電話機との通話は行わず、新たな発呼を行う。特に接続されている回線がアナログ回線の場合は、アナログ通話の発呼を行うことができないのでデジタル通話の発呼を行うようにする。接続されている回線がデジタル回線の場合は、アナログ通話の発呼またはデジタル通話の発呼を行うようにする。
【００４９】
図３は、ＶｏＩＰ電話機１００による発呼処理を示すフローチャートである。
ステップＳ２１で、ユーザがハンドセットを持ち上げるなどしてオフフックが検出されると、ステップＳ２２では、電話制御部３１が留守録ＤＳＰ１９の動作状態に基づいて回線接続中かどうかを判断する。回線接続中であればステップＳ２３に進み、接続中でなければステップＳ２５に進む。ステップＳ２３では、着信検出回路７が接続中の回線がアナログ回線かどうかを判断する。アナログ回線であればステップＳ２４に進み、アナログ回線でなければ、すなわちデジタル回線であればステップＳ２５に進む。
【００５０】
ステップＳ２４では、電話制御部３１がデジタル通話で発呼を行う。ステップＳ２５では、電話制御部３１がアナログ通話で発呼を行うかどうかを判断し、アナログ通話で行う場合は、ステップＳ２６に進み、アナログ通話で行わない、すなわちデジタル通話で行う場合は、ステップＳ２４に進む。ステップＳ２６では、電話制御部３１がアナログ通話で発呼を行う。
【００５１】
なお、ステップＳ２５で、アナログ通話の発呼を行うかどうかの判断要素として、たとえば発呼時にユーザによってダイヤルされた電話番号を用いる。予めアナログ通話の発呼を行う電話番号をメモリ９に記憶するなどしておき、ユーザによってダイヤルされたときに、メモリ９に記憶されている内容と、入力された電話番号とから電話制御部３１がアナログ通話の発呼を行うかどうかを判断する。
【００５２】
メモリ９に記憶する内容としては、１１０や１１９などの特別番号はアナログ発呼を行い、その他の一般電話番号はデジタル発呼を行う、といった基本的な内容であってもよいし、ユーザが電話番号ごとにアナログ発呼かデジタル発呼かを選択し、その選択結果を示す内容であってもよい。
【００５３】
以上のように、留守番電話機能および着信拒否機能による応答メッセージの送出中であっても、新たに発呼することが可能であり、使い勝手のよい着信自動応答機能を備える電話通信装置を提供することができる。
【図面の簡単な説明】
【００５４】
【図１】本発明の実施の一形態であるＶｏＩＰ電話機１００の概略的な電気的構成を示すブロック図である。
【図２】ＶｏＩＰ電話機１００によるアナログ通話の着信処理を示すフローチャートである。
【図３】ＶｏＩＰ電話機１００による発呼処理を示すフローチャートである。
【符号の説明】
【００５５】
１  回線捕捉回路
２  スピーチネットワーク
３  切換回路
４  ハンドセット
５  外部スピーカ
６  ダイヤル回路
７  着信検出回路
８  発信者電話番号受信回路
９  メモリ
１０  表示部
１１  ＶｏＩＰ使用可能ＬＥＤ（Light Emitting Diode）
１２  ＰＳＴＮ ＬＥＤ
１３  ＶｏＩＰ ＬＥＤ
１４  操作パネル
１５  ＤＳＰ
１６  ＡＤＳＬモデム
１７  スプリッタ
１８  音声メモリ
１９  留守録ＤＳＰ
３０  制御部
３１  電話制御部
３２  データ処理制御部
３３  表示制御部
３４  操作検出部
３５  使用回線判定部
３６  ＶｏＩＰ制御部
３７  ＤＳＰ制御部
３８  ＡＤＳＬ制御部
１００  ＶｏＩＰ電話機
【図１】
2006033725.tif 000003
【図２】
2006033725.tif 000004
【図３】
2006033725.tif 000005